(57)【要約】      （修正有）【課題】異なるサイズの工具を用意しなくても直径範囲の大きな長穴を開けることができる、交換可能なカッター設置部を有する中ぐり切削工具を提供する。【解決手段】垂直に設置される挿設軸２１と、挿設軸の上端外周から径方向に向かって延出し、先端に延出盤体２２２が設けられる延出部２２と、延出盤体２２２の外側面に螺合手段により着脱可能に組み合われる組立円盤２３１を備え、組立円盤２３１の上面にカッター延出部２３５が上方に向かって延設され、カッター延出部の先端にカッター２４を装着するカッター装着凹部２３６が凹設される。【選択図】図１
0003184918.tif 000002
【実用新案登録請求の範囲】
【請求項１】
垂直に設置される挿設軸と、
前記挿設軸の上端外周から径方向に向かって延出し、先端に延出盤体が設けられる延出部と、
前記延出盤体の外側面に螺合手段により着脱可能に組み合われる組立円盤を備え、該組立円盤の上面にカッター延出部が上方に向かって延設され、該カッター延出部の先端にカッター装着凹部が凹設される、カッター設置部と、
前記カッター装着凹部に装着されるカッターと、を有することを特徴とする交換可能なカッター設置部を有する中ぐり切削工具。
【請求項２】
前記延出盤体の外側面に垂直の面である結合端面が設けられ、該結合端面の中央に嵌合凸部が凸設され、該嵌合凸部の中央に結合螺合孔が形成され、
前記組立円盤の内面に、前記嵌合凸部と対応する嵌合凹部が凹設され、また、該組立円盤の内面は前記結合端面に当接され、該組立円盤の結合螺合孔と対応する箇所に結合貫通孔が形成され、結合ボルトが該結合貫通孔を通過して結合螺合孔に螺合されることを特徴とする請求項１に記載の交換可能なカッター設置部を有する中ぐり切削工具。
【請求項３】
前記嵌合凸部は、横方向に延出し、
前記嵌合凹部は、横方向に延出することを特徴とする請求項２に記載の交換可能なカッター設置部を有する中ぐり切削工具。
【請求項４】
前記延出部の中央に横方向に伸びる調整長孔が形成されることを特徴とする請求項１乃至３に何れか１項に記載の交換可能なカッター設置部を有する中ぐり切削工具。
【考案の詳細な説明】
【技術分野】
【０００１】
本考案は、特に開け孔の直径に適用できる、交換可能なカッター設置部を設置する中ぐり切削工具に関するものである。
【背景技術】
【０００２】
図７に示すように、従来の中ぐり切削工具５０は、ホルダの結合軸の上端に直接にカッター５１が設けられ、そのカッター５１によって穴を開けるものである。
【考案の概要】
【考案が解決しようとする課題】
【０００３】
しかしながら、従来の中ぐり切削工具は、カッターを用いて穴を開けることはできるが、カッターが直接にホルダに設けられることから、径方向に長い穴を開ける場合には、適当な中ぐり切削工具を使用しなければならなく、即ち、様々な異なるサイズの中ぐり切削工具を用意する必要であるので、非常に不便であった。
【課題を解決するための手段】
【０００４】
本考案に係る交換可能なカッター設置部を有する中ぐり切削工具は、
垂直に設置される挿設軸と、
前記挿設軸の上端外周から径方向に向かって延出し、先端に延出盤体が設けられる延出部と、
前記延出盤体の外側面に螺合手段により着脱可能に組み合われる組立円盤を備え、該組立円盤の上面にカッター延出部が上方に向かって延設され、該カッター延出部の先端にカッター装着凹部が凹設される、カッター設置部と、
前記カッター装着凹部に装着されるカッターと、を有するものである。
【０００５】
かかる交換可能なカッター設置部を有する中ぐり切削工具において、前記延出盤体の外側面に垂直の面である結合端面が設けられ、該結合端面の中央に嵌合凸部が凸設され、該嵌合凸部の中央に結合螺合孔が形成され、
前記組立円盤の内面に、前記嵌合凸部と対応する嵌合凹部が凹設され、また、該組立円盤の内面は前記結合端面に当接され、該組立円盤の結合螺合孔と対応する箇所に結合貫通孔が形成され、結合ボルトが該結合貫通孔を通過して結合螺合孔に螺合されることが好ましい。
【０００６】
かかる交換可能なカッター設置部を有する中ぐり切削工具において、前記嵌合凸部は、横方向に延出し、前記嵌合凹部は、横方向に延出することが好ましい。
【０００７】
かかる交換可能なカッター設置部を有する中ぐり切削工具において、前記延出部の中央に横方向に伸びる調整長孔が形成されることが好ましい。
【考案の効果】
【０００８】
本考案は上記の課題を解決するものであり、切削部材の中心から外側へ延出する延出部を備えることから、カッター設置部が切削部材の外周近傍に位置する。そのため、カッターをカッター設置部に装着すると、このカッターが切削部材の外周近傍に位置するので、直径範囲が大きい長穴を開けることができる。
【０００９】
また、本考案では、タイプの異なるカッター設置部の交換だけでなく、カッターの位置も調整することが可能である。その場合、まず、切削部材から元のカッター設置部を取り外して、より外側へ延出している、タイプの異なるカッター設置部に交換し、このカッター設置部にカッターを設置すれば、カッターがより外側に位置するので、長穴を開けてもできる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１乃至図３に示すように、本考案に係る交換可能なカッター設置部を有する中ぐり切削工具は、装着部材１０に取り付けられる切削部材２０を有し、その装着部材１０は、垂直に設置される円柱体である結合軸１１と、該結合軸１１の上端に設けられる結合ヘッド１２と、該結合ヘッド１２に摺動可能に設置される移動柱体１３を備え、その内、該結合ヘッド１２は、該結合軸１１の外径よりも大きく、その外周面の相対する両側を貫通するように貫通孔１２１が形成され、上面の中央に垂直方向に貫通する位置決め孔１２２が形成され、該位置決め孔１２２は、横方向に延出しながら該貫通孔１２１と連通する長穴であり、また、該結合ヘッド１２の上面における該位置決め孔１２２の延出方向と対応する箇所固定螺合孔１２３が形成される。
【００１２】
前記移動柱体１３は、結合ヘッド１２の貫通孔１２１内に横方向に摺動可能に設置される柱であり、相対する両側にそれぞれ端面が設けられ、位置決め孔１２２と対応する箇所に垂直に貫通する結合孔１３１が形成され、また、該移動柱体１３の一方の端面の上部及び下部にそれぞれ、内端が結合孔１３１と連通する当接螺合孔１３２が形成される。
【００１３】
さらに、前記移動柱体１３の他方の端面に調整螺合孔１３３が形成され、前記結合ヘッド１２における、貫通孔１２１と反対する側、すなわち該調整螺合孔１３３と対応する側に、回転自在な調整円盤１４が取り付けられ、該調整円盤１４の内面中央に調整螺柱１４１が該調整螺合孔１３３に向かって延設され、且つ該調整螺合孔１３３に螺合されることから、調整円盤１４が回転すると、移動柱体１３が貫通孔１２１に沿って横方向に摺動することができるので、位置調整を行うことができる。
【００１４】
前記切削部材２０は、挿設軸２１と、延出部２２と、カッター設置部２３と、カッター２４とを備え、その内、該挿設軸２１は、垂直に設置される柱体であり、結合ヘッド１２の位置決め孔１２２を通過して移動柱体１３の結合孔１３１に挿設されると共に、外周面における当接螺合孔１３２と対応する箇所に当接面２１１が凹設され、それらの当接螺合孔１３２にそれぞれ当接ボルト１３４が螺設され、該当接ボルト１３４の内端が当接面２１１に当接されることによって、切削部材２０を位置決める。
【００１５】
前記挿設軸２１の上端が結合ヘッド１２の上面から突出すると共に、延出部２２が固定螺合孔１２３に向かって延設され、すなわち、該延出部２２は、該挿設軸２１の上端外周から径方向に向かって延設され、その底面が結合ヘッド１２の上面と当接され、更に、該延出部２２における、固定螺合孔１２３と対応する箇所に調整長孔２２１が形成され、該調整長孔２２１は、該延出部２２の中央近傍に横方向に延出する皿穴であり、固定ボルト１３５が該調整長孔２２１を通過して固定螺合孔１２３に螺合されることにより、切削部材２０を位置決める。
【００１６】
前記延出部２２の先端に延出盤体２２２が設けられ、該延出盤体２２２は、垂直に設置された円盤であり、その外側面に垂直の面である結合端面２２３が設けられ、該結合端面２２３の中央に嵌合凸部２２４が凸設され、該嵌合凸部２２４は、横方向に延出し、、更に、該嵌合凸部２２４の中央に結合螺合孔２２５が形成される。
【００１７】
前記カッター設置部２３は、延出部２２の延出盤体２２２の結合端面２２３に組み合わされ、該延出盤体２２２の形状と対応するように、螺合手段により着脱可能に該延出盤体２２２に組み合われる組立円盤２３１が設けられ、該組立円盤２３１の内面に嵌合凸部２２４と対応する嵌合凹部２３２が凹設され、該嵌合凹部２３２は、横方向に延出し、更に、該組立円盤２３１が嵌合凹部２３２を介して嵌合凸部２２４に嵌合されると共に、該組立円盤２３１の内面が結合端面２２３に当接され、該組立円盤２３１の、結合螺合孔２２５と対応する箇所に結合貫通孔２３３が形成され、該結合貫通孔２３３は、皿穴であり、結合ボルト２３４は該結合貫通孔２３３を通過して結合螺合孔２２５に螺合される。
【００１８】
また、前記組立円盤２３１の上面にカッター延出部２３５が上方に向かって延設され、該カッター延出部２３５の先端にカッター装着凹部２３６が凹設され、該カッター装着凹部２３６にカッター２４が螺合手段により装着される。
【００１９】
本考案に係る交換可能なカッター設置部を有する中ぐり切削工具を使用する時は、前記切削部材２０の挿設軸２１を装着部材１０に取り付けてからホルダによって切削機械の軸部（図示せず）に設置し、その切削機械によって回転する切削部材２０におけるカッター２４を用いて穴を開ける。また、延出部２２は切削部材２０の中心から外側へ延出すると共に、カッター２４を切削部材２０のカッター設置部２３に装着することによって、このカッター２４を切削部材２０の外周近傍、いわゆる外側近傍に位置させ、該カッター２４を用いて直径範囲が大きい長穴を開ける。
【００２０】
一方、前記実施例の他に、図１および図５に示すように、タイプの異なるカッター設置部２３に交換すれば、カッター２４の位置を変更することができる。その場合は、まず結合ボルト２３４を外してカッター設置部２３を取り外し、延出部２２の結合端面２２３に異なるタイプ、即ち、カッター延出部２３５Ａがより外側へ延出しているタイプをカッター設置部２３Ａを取り付け、更にカッター２４を装着すると、カッター２４の延出範囲がかなり大きいので、大きな長穴を開けることができる。
【００２１】
さらに、図６に示すように、本考案に係る交換可能なカッター設置部を有する中ぐり切削工具には、もう一つの調整方法を有し、その構成によれば、まず固定ボルト１３５を緩めて切削部材２０を移動可能にして調整円盤１４を回転させることによって移動柱体１３を摺動させる。この時、切削部材２０を外側へ移動させながら、カッター２４も同時に外側へ移動させ、その後、再び固定ボルト１３５を固定螺合孔１２３に螺合させて切削部材２０を固定すれば、カッター２４により長穴を開けることができる。
【産業上の利用可能性】
【００２２】
本考案係る交換可能なカッター設置部を有する中ぐり切削工具は上記の構成を有することから、カッターの位置を調整することにより、長穴の加工を行うことができるので、適用性、実用性が向上する。
【図面の簡単な説明】
【００２３】
【図１】本考案に係る交換可能なカッター設置部を有する中ぐり切削工具の切削部材の斜視図である。
【図２】本考案に係る交換可能なカッター設置部を有する中ぐり切削工具の切削部材の部分分解斜視図である。
【図３】本考案に係る交換可能なカッター設置部を有する中ぐり切削工具の部分分解図である。
【図４】本考案に係る交換可能なカッター設置部を有する中ぐり切削工具の部分断面図である。
【図５】本考案に係る交換可能なカッター設置部を有する中ぐり切削工具の異なるタイプの切削部材を示す側面図である。
【図６】本考案に係る交換可能なカッター設置部を有する中ぐり切削工具における切削部材の調整状態を示す断面図である。
【図７】従来の中ぐり切削工具の斜視図である。
【符号の説明】
【００２４】
１０                           装着部材
１１                           結合軸
１２                           結合ヘッド
１２１                        貫通孔
１２２                        位置決め孔
１２３                        固定螺合孔
１３                           移動柱体
１３１                        結合孔
１３２                        当接螺合孔
１３３                        調整螺合孔
１３４                        当接ボルト
１３５                        固定ボルト
１４                           調整円盤
１４１                        調整螺柱
２０                           切削部材
２１                           挿設軸
２１１                        当接面
２２                           延出部
２２１                        調整長孔
２２２                        延出盤体
２２３                        結合端面
２２４                        嵌合凸部
２２５                        結合螺合孔
２３、２３Ａ                 カッター設置部
２３１                        組立円盤
２３２                        嵌合凹部
２３３                        結合貫通孔
２３４                        結合ボルト
２３５、２３５Ａ             カッター延出部
２３６                        カッター装着凹部
２４                           カッター
【図１】
0003184918.tif 000003
【図２】
0003184918.tif 000004
【図３】
0003184918.tif 000005
【図４】
0003184918.tif 000006
【図５】
0003184918.tif 000007
【図６】
0003184918.tif 000008
【図７】
0003184918.tif 000009